(57)【要約】      （修正有）【課題】単刃のドリルやカッターの研磨に使用できるのみならず、刃の長さの異なる両刃以上の特殊なドリルやカッターの研磨にも適用する研磨機の提供。【解決手段】エメリー・ホイールと、研磨されるドリルやカッターを固定するチャックと、ドリルやカッターの柄を挿し込むため、チャック内に形成されたＴ型ブッシングを含み、その一端は機台の取り付け穴に挿入され、他端は取り付け穴から突出して外縁部を形成し、その周辺には複数対の嵌溝が形成され、チャックの外表面の対応した位置に形成された楔状の突部と嵌合できるようにして、また、Ｔ型ブッシングの中はテーパー・ホールとなっている調節可能なチャックを備えた研磨機とする。【選択図】図２
0003135425.tif 000002
【実用新案登録請求の範囲】
【請求項１】
ドリルやカッターの刃を研磨する研磨機において、
前記ドリルやカッターの刃を研磨する砥石車と、前記ドリルやカッターを固定するチャックと、前記チャックの中に設けられ、前記ドリルやカッターの柄を挿し込むブッシングとを含み、
前記ブッシングはＴ型ブッシングであつて、その一端は機台の取り付け穴に挿入され、他端は前記取り付け穴から突出して外縁部を形成し、その周縁には複数対の嵌溝が形成され、前記チャックの外表面の対応した位置に形成された楔状の突部と嵌合できるようになっており、また、Ｔ型ブッシングの中は、テーパー・ホールとなっていることを特徴とする、調節可能なチャックを備えた研磨機。
【請求項２】
前記Ｔ型ブッシングの前記外縁部の表面には、２組のストップ・ピンが設けられていて、前記チャックの回転角度を制限することを特徴とする、請求項１に記載の研磨機。
【請求項３】
前記Ｔ型ブッシングの外縁部の前記周縁に形成された前記嵌溝の数は、研磨されるカッターの刃数により決定されることを特徴とする、請求項１に記載の研磨機。
【請求項４】
前記研磨機の前記砥石車は、金剛砂砥石車であり、その外輪部の直径は本体のそれよりも大であることを特徴とする、請求項１に記載の研磨機。
【考案の詳細な説明】
【技術分野】
【０００１】
本考案は調節可能なチャック（くわえ装置）を備えた研磨機に関するもので、特に調節可能なチャックを備え、単刃のドリルやカッターの外、長短不同の両刃以上のドリルやカッターをも有効に研磨できる研磨機に関するものである。
【背景技術】
【０００２】
従来の台湾特許第２８６,６１０号明細書、台湾特許第１５５,３３８号明細書に公開された携帯式研磨機は、機器のハウジングと、一端部を覆うキャップと、ハウジング内に備え付けられた伝達装置と、金剛砂砥石車（エメリー・ホイール：emery wheel）とそのガイド構体とからなっている。研磨機の使用に当り、該研磨機は電気ドリルの主軸に連結され、動力を受け、これをエメリー・ホイールに伝達する。このとき、砥がれるドリル・ビット（drill bit）やカッターは局部に取リ付けられ、存分に研磨、或いは研削される。
【０００３】
このような研磨機の到達可能な加工範囲は、ドリルやカッターの尖頭の中央部の極めて小さな区域にすぎず、刃の逃げ迄には到底及ばず、加工状態は不良となる。
【０００４】
この状態を改善せんがため、本考案者は、前記携帯式研磨機を改良した携帯式研磨機を考案し、台湾特許第５４７,２２８号を獲得した。図１に示したようにこの新規開発された研磨機は主に動力源から回転力を受けるエメリー・ホイール２０と、付属の治具とドリル・ビット固定手段３０とで動作する。治具と第１研磨台４０との組合せにより、ドリル・ビットの刃をエメリー・ホイール２０の傾斜研磨面２１に密着させる。しかる後、治具と第２研磨台５０との組合せにより、ドリル・ビットの刃の螺旋角をエメリー・ホイール２０の傾斜研磨面２１に密着させて、研磨するのである。
【０００５】
図１のように、ドリル・ビット固定手段３０は、治具を安定して設置する治具固定座３１と、ドリル・ビット固定ジグ（jig）３２とからなっている。治具固定座３１には治具を取り付ける取り付け穴３３と、取り付け穴の周囲に立てた回転制限柱が含まれていて、治具の回転角度を一定の範囲に抑えている。
【０００６】
第１研磨台４０は機器のハウジング１０に結合され、エメリー・ホイール前方の軸線上に位置し、そのエメリー・ホイール２０との距離は、治具固定座３１とドリル・ビット固定ジグ３２間の距離と同じである。第１研磨台４０はほぼアーク状をなし、その底面には滑溝４１が形成されている。このアーク状の滑溝４１をボルト４２で締付ければ第１研磨台４０はエメリー・ホイール２０と事実上適当な角度に保たれ、色色なドリル、例えば標準ドリル、ざら面のドリル、またはエボナイト・ドリルなど相異った逃げ角や逃げ溝を持った刃のドリルを研磨できる。
【０００７】
第１研磨台４０の垂直壁４６の上には取り付け穴４３が設けられ、この中に治具を取り付ける。取り付け穴４３の周囲には、一定の角度と距離の回転制限柱４４、４５を設けている。取り付け穴４３は約１０〜１５°の傾斜角で上に向い、研磨されるドリル・ビットの刃の方向と対応している。
【０００８】
第２研磨台５０はボルト５１により、エメリー・ホイール２０の上方で研磨機のハウジング１０と結合し、エメリー・ホイール２０とは、治具固定座３１とドリルビット固定ジグ３２との間の距離と同じ距離を保っている。第２研磨台５０にもまた１つの取り付け穴５２が設けられていて、この中に治具を取り付ける。取り付け穴５２の周囲にも、一定の角度の回転制限柱５３が立設されている。
【考案の開示】
【考案が解決しようとする課題】
【０００９】
このような台湾特許第５４７,２２８号の改善された、携帯式研磨機にも、一般に用いられる単刃のドリル・ビットの研磨にしか使用できず、両刃以上には不向きだと言う欠陥がある。
【００１０】
このような長年解決不能な問題に取り組み、本願の考案者の一層の奮励努力の結果、遂に、本願の調節可能なチャックを備えた研磨機開発の成功を見るに至った。以下にこれを開示する。
【００１１】
本考案は、単刃のドリルやカッターの研磨に使用できるのみならず、刃の長さの異なる両刃以上の特殊なドリルやカッターの研磨にも適用する研磨機の開発が、本考案の主な目的とする所である。
【課題を解決するための手段】
【００１２】
このような目的を達成する本考案のドリルやカッターの刃を研磨する研磨機は、研磨機のチャックを調節可能とし、それに一端に外縁部を形成したＴ型ブッシングを設けた。外縁部には周縁に沿って複数対の嵌溝を設け、その数は研磨されるドリルやカッターの刃数により決定する。また、複数のストップ・ピンを外縁部の表面に設け、ドリルやカッターの回転角度を制御させた。Ｔ型ブッシングは更にテーパー・ホールをその中に含み、ドリルやカッターを保持したチャックがテーパー・ホールに挿入されたとき、ドリルやカッターの刃が研磨用のエメリー・ホイールと一定の傾斜角度を保って接触するように調節し、刃の長さの異なる両刃以上の特殊なドリルやカッターの研磨にも適用する、調節可能なチャックを備えた研磨機を提供する。
【考案の効果】
【００１３】
かくして内部にテーパー・ホール２０４が形成されているＴ型ブッシング２００と、外輪６０１を備えたエメリー・ホイール６００とを利用することにより、本考案による研磨機は、そのチャックに含まれたＴ型ブッシング２００を回転させることにより、両刃、３刃乃至４刃のカッター５００でも容易に且つ便利に研磨加工できるものである。
【考案を実施するための最良の形態】
【００１４】
以下、図面を参照して本考案の好適な実施例を説明しよう。
【００１５】
図２と図３に示された本考案の一実施例による調節可能なチャックは、第１チャック１００Ａと第２チャック１００Ｂとに分けられる。前者には１つの取り付け穴１０１、後者には１つの取り付け穴１０２を有するＴ型ブッシング２００が設けられていて、両者はそれぞれ研磨機１００に取り付けられている。Ｔ型ブッシング２００の一端部２０１が取り付け穴１０１に挿し込まれ、他端部の外径は拡大されて、Ｔ型ブッシング２００を挿入したとき、その外縁部２０２が取り付け穴１０１から露出するのである。２組、３組乃至４組の嵌溝２０３が外縁部２０２の周縁に沿って形成され、その数は研磨されるドリルやカッターの刃数によって決められる。嵌溝２０３はチャックの外表面の対応した位置に形成された楔状の突部１０３と嵌合され、チャックの取り付け穴１０１の中にＴ型ブッシング２００をその位置に保持するのである。
【００１６】
図４によれば、Ｔ型ブッシング２００の内部はテーパー・ホール２０４になっていて、その傾斜角度はドリルやカッターの柄がテーパー・ホール２０４に挿し込まれた際、その刃部はエメリー・ホイールと一定の角度で、接触できるようになっている。
【００１７】
図３に戻ろう。本考案の調節可能なチャックは、Ｔ型ブッシング２００の外縁部２０２に沿って２組のストップ・ピン３０１、３０２が設けられ、チャックの回転角度を制御するのである。図に示したように制止溝４０１、４０２が設けられたチャックの頭部４００をテーパー・ホール２０４に挿入すれば、制止溝４０１、４０２にストップ・ピン３０１、３０２が嵌止して、頭部４００の回動角度が制御され、研磨される刃の長さが規制される。
【００１８】
図５を参照しよう。本考案による調節可能なチャックのＴ型ブッシング２００は、研磨されるカッター５００を保持して、その刃部５０１を露出させるのみならず、第２チャック１００Ｂと組合せて使用し、カッター５００の刃の逃げ角５０２やレセス５０３の部分を精密に研磨できるのである。
【００１９】
図６を参照しよう。本考案の研磨機に傾斜したＴ型のエメリーホイール６００を使用する場合、エメリー・ホイール６００に本体よりも大きい直径の外輪６０１を一側に取り付け、この外輪６０１の研磨面を部厚い金剛砂で被覆するとよい。
【００２０】
図７を参照しよう。カッター５００の刃を研磨する場合、先づＴ型ブッシング２００を第１チャックの１００ＡのＺ方向の取り付け穴１０１に挿入し、その後、カッター５００を保持しているチャックの頭部をＴ型ブッシング２００のテーパー・ホール２０４に挿入して、カッター５００をエメリー・ホイール６００と傾斜角θで接触させる。そしてエメリー・ホイール６００を回動し、制止溝４０１、４０２とストップ・ピン３０１、３０２の相互間の組合せで、カッター５００を適当な位置に固定してその刃を研磨するのである。両刃のカッターを例に取れば、刃の一側の研磨が終れば、Ｔ型ブッシング２００を１８０°回動して、第１チャック１００ＡのＺ方向の取り付け穴１０１に挿し込み、引き続いて刃の他側を研磨するのである。
【００２１】
カッター５００が傾斜角θでエメリー・ホイール６００の本体と接触しているので、傾斜している刃を容易に研磨し得るのである。
【００２２】
図８のように、カッター５００の中心線５００Ａが、エメリー・ホイール６００の周辺６０２に対し傾斜しているので、長さの異なる刃５０４，５０５が、チャックの頭部を０°から１８０°まで回転することにより、有効に研磨されるのである。
【００２３】
図９を参照しよう。カッター５００の逃げ角θ１を研磨する場合、先づＴ型ブッシング２００を第２チャックの１００ＢのＹ方向の取り付け穴１０１に挿入した後、カッター５００を保持しているチャックの頭部４００をＴ型ブッシング２００のテーパー・ホール２０４に挿し込む。そうすればカッター５００はエメリー・ホイール６００の外輪６０１と傾斜角θで接触するので、カッター５００は外輪６０１の周辺６０２と或る程度の傾斜角をなすことになる。こうなれば、カッター５００の刃の逃げ角は容易に研磨できるようになる。
【００２４】
以上の詳細な説明は、本考案の実行可能な実施例に付いての具体的な説明である。但し、これらの実施例は本考案の実用新案登録請求の範囲を制限するものではなく、凡そ本考案の技術精神を逸脱せずになされた同等効果研磨機の実施、または変更は、全て本考案の実用新案登録請求の範囲内に含まれるものである。
【図面の簡単な説明】
【００２５】
【図１】台湾特許第５４７,２２８号に記載の従来技術による「携帯式研磨機」の斜視図である。
【図２】本考案の一実施例による、調節可能なチャックを備えた研磨機の斜視図である。
【図３】本考案の一実施例によるＴ型ブッシング、チャックの頭部及びチャックの組立斜視図である。
【図４】本考案の一実施例によるＴ型ブッシングの断面図である。
【図５】カッターの立体図である。
【図６】本考案の一実施例による外輪付きのエメリー・ホイールの斜視図である。
【図７】研磨に供するカッターとその刃の位置関係を示す概略図である。
【図８】図７以外の研磨に供するカッターとその刃の位置関係を示す概略図である。
【図９】研磨中のカッターとその刃の逃げ角を示した概略図である。
【符号の説明】
【００２６】
２０，６００：エメリー・ホイール
３０：ドリル・ビット固定手段
４０：第一研磨台
５０：第二研磨台
２１：傾斜研磨面
３１：治具固定座
３２：ドリル・ビット固定ジグ
１０：機器のハウジング
４１：アーク状の滑溝
４２，５１：ボルト
４３，５２：取り付け穴
４４，４５，５３：回転制限柱
４６：垂直壁
１００：研磨機
１００Ａ：第１チャック
１００Ｂ：第２チャック
１０１，１０２：取り付け穴
１０３：楔状の突部
２００：Ｔ型ブッシング
２０１：Ｔ型ブッシング２００の一端
２０２：外縁部
２０３：嵌溝
２０４：テーパー・ホール
３０１，３０２：ストップ・ピン
４００：チャックの頭部
４０１，４０２：制止溝
５００：カッター
５０１：カッターの刃
５０２：逃げ角
５０３：逃げ溝（逃げ角５０２のレセス）
５００Ａ：カッター５００の中心線
６０１：外輪
６０２：周辺
【図１】
0003135425.tif 000003
【図２】
0003135425.tif 000004
【図３】
0003135425.tif 000005
【図４】
0003135425.tif 000006
【図５】
0003135425.tif 000007
【図６】
0003135425.tif 000008
【図７】
0003135425.tif 000009
【図８】
0003135425.tif 000010
【図９】
0003135425.tif 000011